(57)【特許請求の範囲】
【請求項１】
便器のボルト孔に挿通されたボルトに対し便器用工具によってナットを締め込む工程を有する便器におけるボルトへのナット締め工法であって、
該便器用工具は、該ナットが係合するソケット部と、該ソケット部に連なるハンドル部とを有し、
該ソケット部はボルトが挿通される貫通孔を有しており、
該ハンドル部は、ボルトが挿通される主孔が該ハンドル部の長手方向に設けられると共に、該主孔と略直交方向に貫通する副孔が設けられており、
該ハンドル部は、該主孔が該貫通孔と同軸状となった第１の状態と、該副孔が該貫通孔と同軸状となった第２の状態とをとりうるように、該ソケット部に対し回動可能に取り付けられており、
ナット締め後に、前記第１の状態にあり、ボルトがソケット部から前記主孔に導入された該便器用工具の該ハンドル部を回動させてボルトを折断することを特徴とする便器におけるボルトへのナット締め工法。
【発明の詳細な説明】
【０００１】
【発明の属する技術分野】
本発明は、便器に便座や便座ボックス等の部材をボルト及びナットによって取り付ける工法に関するものである。
【０００２】
【従来の技術】
洋風便器に便座や便蓋を取り付けるには、便座や便蓋の支持部材又は便座ボックスを洋風便器に合成樹脂製のボルトによって固定し、この支持部材又は便座ボックスに便座や便蓋を回動可能に支持させることが多い。この便座ボックスの洋風便器への従来の取付構造について図３，４を参照して説明する。なお、図４は図３のIV−IV線に沿う断面図である。
【０００３】
便座ボックス１の底部プレート２に洋風便器４の前後方向に延在するスリット３が設けられている。このスリット３の上側に合成樹脂製のボルト５の平板状の頭部５ａが差し込まれる。ボルト５の螺子棒部５ｂが該スリット３を通って下方に延出される。
【０００４】
洋風便器４の便鉢４ａの後方部には、このボルト５の螺子棒部５ｂを通すためのボルト挿通孔４ｂが設けられている。平パッキン６を介してボルト５を該ボルト挿通孔４ｂに通し、半球パッキン８及びスリップワッシャ９を介してナット１０を該ボルト５に装着する。便座ボックス１に装着された便座１１の前端が洋風便器４の前端から５〜２０ｍｍ程度突出するように便座ボックス１の前後位置を調整してから該ナット１０を締め込み、便座ボックス１を洋風便器４に固定する。
【０００５】
この便座ボックス１には、便蓋１２も上下方向回動自在に取り付けられている。この便座ボックス１の内部に温水噴射ノズル等の機構が設置されている。
【０００６】
【発明が解決しようとする課題】
洋風便器４のボルト挿通孔４ｂの長さ（孔４ｂが設けられている部分の厚み）は洋風便器機種によって種々異なることから、便座や便座ボックスをどの機種の洋風便器にも取り付け得るようにするために、上記のボルト５はかなり長目に作成されている。このように長いボルト５は、取付後にあっては見栄えが悪く、また便座や便座ボックスの取り外し時にナット１０を多数回回す必要があり、不便である。そこで、このような長いボルトに切目を入れておき、不要な先端（下端）側の部分を折断させるようにしたボルトも用いられている。
【０００７】
本発明は、このボルトに切目が入っていなくても、不要な先端側部分のみを簡単に折断除去することができる工具を用いた工法を提供することを目的とする。
【０００８】
【課題を解決するための手段】
本発明の便器におけるボルトへのナット締め工法は、便器のボルト孔に挿通されたボルトに対し便器用工具によってナットを締め込む工程を有する便器におけるボルトへのナット締め工法であって、該便器用工具は、該ナットが係合するソケット部と、該ソケット部に連なるハンドル部とを有し、該ソケット部はボルトが挿通される貫通孔を有しており、該ハンドル部は、ボルトが挿通される主孔が該ハンドル部の長手方向に設けられると共に、該主孔と略直交方向に貫通する副孔が設けられており、該ハンドル部は、該主孔が該貫通孔と同軸状となった第１の状態と、該副孔が該貫通孔と同軸状となった第２の状態とをとりうるように、該ソケット部に対し回動可能に取り付けられており、ナット締め後に、該便器用工具を前記第１の状態にしてボルトをソケット部から前記主孔に導入し、次いで、該ハンドル部を回動させてボルトを折断することを特徴とするものである。
【０００９】
かかる工法にあっては、ソケット部とハンドル部とを一直線状とし、ソケット部の貫通孔からハンドル部の主孔にボルトを挿入し、ソケット部にナットを係合させて該ナットを回すことができる。この場合、工具を指先で軽快に回すことができるので、ボルトがきわめて長くても、ナットを急速に螺進させることができる。このようにしてナットが軽く締まった後は、ハンドル部を強くボルトの側方に回す。そうすると、ソケット部とハンドル部との境目からボルトが折れる。これにより、ナットの所定長さ下方からボルトの不要な先端側部分を簡単に折断除去することができる。
【００１０】
【発明の実施の形態】
以下、図面を参照して実施の形態について説明する。図１は実施の形態に係る工具の斜視図、図２はこの工具を用いたナット締め工法の説明図である。
【００１１】
この工具２０は、ソケット部２１と、該ソケット部２１に対し取付軸２３によって回動自在に連結されたハンドル部２２とを有する。ソケット部２１は、ボルト５が挿通される貫通孔２４を有する。この貫通孔２４の入口側は非円形のナット係合部２５となっている。なお、このナット係合部２５に丁度合う形状、大きさのナットは、このナット係合部２５に直に係合されるが、このナット係合部２５と別の形状のナットを締める際には、例えば図１（ｃ）の略筒状のアタッチメント３０をナット係合部２５に装着する。このアタッチメント３０は、ナット係合部２５への差込部３１と、六角孔部３２とを有している。ナットがこの六角孔部３２よりも小さい六角形状であれば、さらにこの六角孔部３２内に六角筒状のアタッチメント（図示略）を装着すればよい。
【００１２】
前記ハンドル部２２は、その長手方向に貫通する主孔２６と、この主孔２６と直交方向の副孔２７とを有する。この副孔２７はソケット部２１の近傍に配置されている。
【００１３】
このように構成された工具２０を用いて前記図３，４のナット１０を締め込み、且つ合成樹脂製ボルト５の螺子棒部５ｂの先端側（下端側）を折る作業手順について次に説明する。なお、この作業例にあっては、ナット１０が六角形であるため、ソケット部２１にアタッチメント３０を装着している。
【００１４】
まず、図１（ａ）及び図２（ａ）のように、ソケット部２１とハンドル部２２とを一直線状とし、ソケット部２１の貫通孔２４からハンドル部２２の主孔２６にボルト５の螺子棒部５ｂを挿入し、ソケット部２１にナット１０を係合させて該ナット１０を回し、上方に螺進させる。この場合、工具２０のハンドル部２２を指先で軽快に回すことができるので、ボルト５がきわめて長くても、ナット１０を急速に螺進させることができる。
【００１５】
このようにしてナット１０を締めた後ハンドル部２２を強くボルト５の側方に回す。そうすると、図２（ｃ）の通り、ソケット部２１とハンドル部２２との境目からボルト５の螺子棒部５ｂが折れる。これにより、ボルト５の不要な部分を簡単に折断除去することができる。
【００１６】
図２（ｃ）のようにボルト５を折った後は、工具２０をボルト５から離反させ、折り屑を工具２０から取り出す。
【００１７】
なお、このように図２（ａ）から直接に図２（ｃ）に移行するのではなく、図２（ａ）から図２（ｂ）の強力な締め工程を経てから図２（ｃ）の切断工程に移行してもよい。即ち、図２（ａ）のようにしてナット１０を軽く締めた後、工具を一旦ボルトから外し、図１（ｂ）のようにハンドル部２２を約９０°回して工具２０をＬ形とする。そして、図２（ｂ）の通り、ボルト５をソケット部２１からハンドル部２２の副孔２７に通し、このソケット部２１をアタッチメント３０を介してナット１０に係合させると共に、ハンドル部２２を掴んでナット１０を強く回し、強固にナット締めする。
【００１８】
このナット締め終了後、工具２０をボルト５から外し、工具２０を再び一直線状にした後、ソケット部２１からハンドル部２２の主孔２６にボルト５を通す。そして、ソケット部２１をナット１０に係合させた後、ハンドル部２２を強くボルト５の側方に回す。そうすると、図２（ｃ）の通り、ソケット部２１とハンドル部２２との境目からボルト５の螺子棒部５ｂが折れる。これにより、ボルト５の不要な部分を簡単に折断除去することができる。
【００１９】
上記実施の形態では、便座ボックスをボルト５によって洋風便器に固定しているが、便座ボックス以外の便座支持部材をボルト５によって洋風便器に取り付ける場合にも本発明を適用することができる。
【００２０】
【発明の効果】
以上の通り、本発明によると、ボルトに対するナット締め作業を短時間で行うことができ、しかもナット締め後はボルトの先端側の余分な部分を簡単に折断除去することができる。
【図面の簡単な説明】
【図１】  実施の形態に係る工具の説明図である。
【図２】  図１の工具を用いたナット締め及びボルト折断手順を示す断面図である。
【図３】  ボルトによって便座ボックスを固定した洋風便器の側面図である。
【図４】  図３のIV−IV線に沿う断面図である。
【符号の説明】
１  便座ボックス
４  洋風便器
１１  便座
２０  工具
２１  ソケット部
２２  ハンドル部
２４  貫通孔
２５  ナット係合部
２６  主孔
２７  副孔
３０  アタッチメント
【図１】
0004314691.tif 000002
【図２】
0004314691.tif 000003
【図３】
0004314691.tif 000004
【図４】
0004314691.tif 000005